(57)【要約】  【課題】  【解決手段】窓の機能を有する多機能のサインボードが開示されている。このサインボードは、フィルム（２）が２重のガラス板（３）の間に設けられ、液体（１）がフィルム（２）とガラス板との間に充填されるように構成され、これにより、フィルム（２）が液体に浸されているような効果を奏し、ガラス板と空気との屈折率によりフィルム（２）が揺らぐのを防ぎ、したがって、２重のガラス板（３）とフィルム（２）が一体的に構成された視覚装置として利用され、透明なフィルムまたは様々な模様がプリントされたフィルムが、巻き取りロール（４）の周囲に巻かれ、垂直または水平に移動され、これにより、所望のの透明度または様々なデザインを表わし、したがって、屋内および屋外の環境を様々に変化させる。【選択図】図１
2008530404.tif 000002
【特許請求の範囲】
【請求項１】
多機能のサインボードにおいて、２以上の透明な板（３）が、所定の収納スペースを規定する２重のガラス板を具え、液体（１）およびフィルム（２）が前記スペースに収納され、密閉手段が前記透明な板（３）の対向する各端部に設けられ、前記液体が前記収納スペースから漏れるのを防ぐことを特徴とする多機能のサインボード。
【請求項２】
請求項１に記載の多機能のサインボードにおいて、前記フィルム（２）を巻き取る巻き取りロール（４）と、当該巻き取りロール（４）を駆動する駆動手段とがフレームに取り付けられ、前記駆動手段の動作により、フィルム（２）の所望の部分が現れることを特徴とする多機能のサインボード。
【請求項３】
請求項１に記載の多機能のサインボードにおいて、液体の入出口（７）が、前記フレーム（６）の所定の位置に形成され、前記液体（１）を供給、放出、および循環し、液体（１）の循環は、熱交換器を介して、海水、地下水、雨水、排水、および他の熱源からのエネルギまたはこれらへのエネルギを吸収または伝導し、室内の空気を冷却または加熱することを特徴とする多機能のサインボード。
【請求項４】
請求項２に記載の多機能のサインボードにおいて、前記フィルム（２）および巻き取りロール（４）が２重に設けられ、これにより、両面においてデザインを変更可能であることを特徴とする多機能のサインボード。
【請求項５】
請求項１に記載の多機能のサインボードにおいて、太陽光を利用した蓄電池が、前記フィルム（２）または前記フレーム（６）に設けられ、これにより、前記蓄電池に蓄電された電力を利用して前記フィルム（２）を駆動することを特徴とする多機能のサインボード。
【請求項６】
請求項１に記載の多機能のサインボードにおいて、ランプが前記フレーム（６）の内側または外側に設けられ、夜間でも前記サインボードを利用できることを特徴とする多機能のサインボード。
【請求項７】
請求項１乃至６のいずれか１項に記載の多機能のサインボードにおいて、当該サインボードが建物の窓として利用されることを特徴とする多機能のサインボード。
【発明の詳細な説明】
【技術分野】
【０００１】
本発明は、窓の機能を有する多機能のサインボードに関し、当該サインボードは、フィルム２が２重のガラス板３の間に設けられ、液体１がフィルム２とガラス板との間に充填されるように構成され、これにより、フィルム２が液体に浸されているような効果を奏し、ガラス板および空気の屈折率によりフィルム２が揺らぐのを防ぎ、このため、２重のガラス板３およびフィルム２が一体であるかのような視覚装置として利用されており、また、前記サインボードは、透明なフィルムまたは様々な模様がプリントされたフィルム２が、巻き取りロール４の周囲に巻かれるように構成されており、これにより、所望の透明度または様々なデザインを表わし、このため、屋内および屋外の環境を様々に変化させる。
【背景技術】
【０００２】
一般に、従来の建物は、窓からの熱損失を防ぐために２重のガラス板を具える窓を利用している。この２重のガラス板は、当該ガラス板の間が真空になっており、これにより、ガラス板からの熱損失を防いでいる。
【０００３】
このような２重のガラス板は、熱損失をある程度防ぐことができる。しかしながら、２重のガラス板を具える窓の場合、カーテン、ブラインド、または日除け用のフィルムをガラス板に設けて、日光が透過するのを制御しなければならない。しかしながら、窓は透過率または色を変更できない問題があり、追加の設備が必要である。さらに、宣伝効果などの特別な効果を窓に持たせるために、グラフィックな広告フィルムやシートが建物の窓に取り付けられることがある。しかしながら、従来の建物の窓またはサインボードは、生涯を通して同じデザインであり、非常に単調である。
【０００４】
このような設備に加え、窓の透過率を制御するために電気が供給されるスマートウィンドウ（ＳＰＤ）や、２重のガラス板の間のスペースに様々な色の液体を注入する装置が開発され、窓の色を制御している。しかしながら、これらは、完全に透明な状態あるいは完全に不透明な状態を実現できず、また様々な色やデザインを提供できないという問題がある。
【０００５】
さらに、ブラインドまたはフィルムが、窓の２重のガラス板の間に挿入され、モータにより駆動されるように構成された装置が開発された。しかしながら、この装置は、フィルムが揺らぐために、高い透明度または明瞭な表示画像を提供できないという問題がある。
【発明の開示】
【発明が解決しようとする課題】
【０００６】
したがって、本発明は、従来技術における前述の問題を考慮して作られており、本発明の目的は、窓の機能を有する多機能のサインボードを提供することであり、当該サインボードは、フィルム２が２重のガラス板３の間に設けられ、液体がフィルム２とガラス板との間に満たされて、フィルムが液体に浸されており、このため、ガラス板と、２重のガラス板の間の空気との屈折率の違いにより、フィルムが揺らぐのを防ぎ、また、２重のガラス板３、液体１、およびフィルム２が一体であるかのようにし、これにより、クリアで明瞭な画像を提供する視覚効果を実現する。
【０００７】
本発明の別の目的は、窓の機能を有する多機能のサインボードを提供することであり、当該サインボードは、様々な透明度および様々なデザインを有する模様が、２重のガラス板３の間に挿入されるフィルム２にプリントされ、このフィルム２は、巻き取りロール４の周囲に巻かれて垂直または水平に移動し、これにより、必要に応じて様々な透明度またはデザインを選択できる。
【０００８】
本発明のさらなる目的は、窓の機能を有する多機能のサインボードを提供することであり、当該サインボードは、２重のガラス板の間に充填された液体の温度を制御でき、これにより空調機能を有し、エネルギを節約する。
【課題を解決するための手段】
【０００９】
前記目的を実現するために、本発明は多機能のサインボードを提供し、当該サインボードは、様々な透明度およびデザインを有する模様がプリントされたフィルム２が、２重のガラス板３の間に規定されたスペースに挿入されており、透明な液体がフィルム２とガラス板との間に充填されて当該フィルムが液体に浸されており、密閉手段であるフレーム６がガラス板の縁部に設けられ、液体１が漏れるのを防ぐ。
【００１０】
さらに、本発明の別の目的を実現するために、本発明は多機能のサインボードを提供し、当該サインボードは、フィルム２が、密閉手段であるフレームに設けられた巻き取りロール４の周囲に巻かれ、このフィルムが、モータを用いて巻き取りロールを回転させることにより移動され、これにより、フィルムの様々な模様または様々な透明度を実現する。
【００１１】
さらに、さらなる目的を実現するために、本発明は多機能のサインボードを提供し、当該サインボードは、液体の入出口が、密閉手段であるフレームに設けられ、熱交換器が、この液体の入出口に設けられ、外部から供給される冷水または温水を利用して熱交換処理を行うことにより、充填された液体の温度を制御し、これにより空調機能を有し、エネルギを節約する。
【００１２】
このように構成された本発明は、添付図面を参照して以下に説明される。
【発明を実施するための最良の形態】
【００１３】
図１は本発明の一実施例による多機能のサインボードを示す断面図であり、図２は図１の多機能のサインボードを示す斜視図であり、図３は本発明の多機能のサインボードを示す正面図であり、図４は２重のフィルムを示す断面図であり、図５は巻き取りロールの周囲に巻かれるフィルムの構成を示す図である。
【００１４】
本発明は、図１乃至３を参照して以下に説明される。
【００１５】
図１を参照すると、窓を構成する２以上の透明な板３が、所定の収納スペースを規定している。液体１およびフィルム２が、収納スペースに収納されている。フレーム６が透明な板３の対向する端部に設けられ、収納スペースから液体が漏れるのを防ぎ、また、巻き取りロール４と当該巻き取りロール４を駆動するモータを収納するスペースを規定する。透明な板３とフレーム６の側面部は、好適な手段、例えばゴムパッキンを用いた手段または溶接手段を用いて密閉される。
【００１６】
液体１は透明な水などの液体である。所定の混合物、例えば、不凍剤、防腐剤、または着色剤を液体に加えて、所定の温度、衛生状態、または所望の色を維持してもよい。
【００１７】
さらに、液体の入出口７がフレーム６の所定の位置に形成され、液体１を供給、放出、および循環する。液体の循環により、熱交換器を介して、海水、地下水、雨水、排水、および他の熱源からのエネルギまたはこれらへのエネルギを吸収または伝導し、これにより、空気を冷却または加熱する。すなわち冬場では、この液体は温水から熱を吸収して高い温度で循環し、これにより室内の空気を温める。反対に夏場では、この液体は、冷水に熱を伝導して低い温度で循環し、これにより室内の空気を冷却する。この方法により、建物の窓からの熱損失を根本的に防ぐことができる。すなわち、本発明は、人間の体を保護する服のような冷却または加熱効果を提供する。
【００１８】
熱交換処理に利用される熱源は、環境に害のない自然資源を利用してもよい。すなわち、海水、地下水、雨水、排水は浄化および循環され、空気を加熱または冷却するのに利用される。したがって、本発明は経済的な効果を有する。特に地下水の場合、地下水は、年間を通して平均温度が２２°Ｃである。したがって、地下水を循環させることにより、室内の温度を地下水の温度と同じ温度に保つことができる。
【００１９】
図５に示すように、フィルム２は、上側および下側の巻き取りロール４または左右の巻き取りロール４の周囲に巻かれる。この巻き取りロール４は、フィルム２の所望の部分が現れるまで、回転用のハンドルまたは回転用の紐を利用して手動で駆動される。さらに、本発明は、モータ５が各巻き取りロール４の近くに設けられ、これにより、フィルム２の所望の部分が現れるまで、スイッチを利用して巻き取りロールを反対方向に半自動的に回転させることができる。さらに、各モータにより移動されるフィルム２は、フィルムの位置センサまたはタイミングベルトにより自動的に遠隔制御され、フィルムの所望の部分が現れるようにしてもよい。
【００２０】
さらに、水槽のような構造を２重のガラス板の間または透明な板の間に規定された収納スペースに設けてもよい。例えば、水滴を生成する機能を下側のフレーム６に設けてもよく、これにより本発明は、変化する背景を有する水槽の機能を具えてもよい。
【００２１】
本発明は、集熱プレートまたは太陽光を利用した蓄電池を、フィルム２または各フレーム６に設けて、収納スペース内に入っている液体１に熱を伝導して、室内の空気を冷却または加熱してもよい。さらに、フィルム２を駆動するデバイスおよびランプを各フレーム６の内側または外側に設けてもよく、これにより、本発明は夜でも使用できる。
【００２２】
図４は、２重のフィルムの構造を示す断面図である。フィルムおよび巻き取りロールは２重に設けられ、サインボードのデザインは、サインボードの両面で変化させてもよい。建物の内側または外側の環境に応じて、様々なデザインを選択してもよい。
【００２３】
さらに、２重のガラス板３または透明の板を２層、３層、またはそれ以上の層にすることにより、本発明のサインボードはより効果的に利用できる。本発明のサインボードは、建物、航空機、船、車、電車、温室、ディスプレイ、または建物のインテリアの全部または一部に利用してもよい。
【００２４】
図５はフィルムの例を示している。様々な所望のデザインがフィルムにプリントされている。このフィルムは、２重のガラス板の大きさに適するように構成されている。例えば、フィルムは、３つの段階、すなわち完全に透明な段階、半透明な段階、および不透明な段階を有する。フィルムは、必要に応じて様々な色を有する。さらに、様々な広告およびデザインをフィルムにプリントして、様々なスクリーンを実現してもよい。
【００２５】
フィルム２は、透明な部分、様々なデザインがプリントされている部分、シート、またはスクリーンを具えて、デザインを変化させてもよい。スクリーンは、プロジェクタを使用して建物内でビジネス目的で利用してもよい。後側のスクリーンは、外部に対してデザインまたは動画を表示してもよい。前述した部材に加え、部材が巻き取りロールの周囲に巻き取られ、液体中で耐久性を維持する限り、任意の部材を利用してもよい。
【００２６】
前述したように、本発明は２重のガラス板の間に充填される液体と、当該液体中に設けられるフィルムとを具え、これによりフィルムが揺らぐ屈折現象を取り除く。これにより、あたかもフィルムと液体が単一の構造として一体化され、フィルムが存在していないかのような外観になる。
【００２７】
このように、本発明は、フィルムのみが２重のガラス板の間に設けられた場合に生じる問題を解決する。すなわち、フィルムのみが２重のガラス板の間に設けられた場合、フィルムが揺らぐため、フィルムが２重のガラス板の間に設けられていることを人が視覚的に認識してしまう。このように、窓の必須の要件である透明な視界を保証することは難しい。
【００２８】
本発明の好適な実施例が説明されているが、当業者であれば、本発明の意図から逸脱しない範囲で変更できることを理解すべきである。
【００２９】
本発明の好適な実施例が、添付図面を参照して開示されているが、本発明は図示した実施例に限定されず、当業者であれば、添付した請求項に開示されている本発明の目的および意図から逸脱しない範囲で、様々な修正、追加、および置換が可能であることは明らかであろう。
【００３０】
発明の効果
本発明は、液体１およびフィルム２が、２重のガラス板３の間に規定されたスペースに設けられ、液体１はフィルム２による屈折を妨げ、これにより、フィルム２が揺らぐのを防ぐ。このため、フィルム２および２重のガラス板３は、あたかも一体であるかのように認識され、完全にクリアで明瞭な視界が保証される。
【００３１】
さらに、窓にとって重要な透明性が求められる場合、透明なフィルムが設けられ、まるでフィルム２や液体１が存在しないかのようなクリアで明瞭な視界が保証される。
【００３２】
このように本発明は、液体１およびフィルム２が共に、２重のガラス板の間に設けられ、これにより外部からの熱または騒音を防ぎ、冬場または夏場の室内の空気を加熱または冷却し、さらにエネルギーを節約する。
【００３３】
フィルム２を移動することにより、透明性およびデザインが、周辺の環境および用途に合うように選択される。したがって、日光の透過率および視覚的な透明性を制御するのが容易であり、本発明は、室内の環境に応じて光および熱の侵入を適切に制御できる。したがって、快適な環境が容易に得られる。
【００３４】
さらに、本発明を利用して様々な広告およびスーパグラフィックを建物の外側部分に表示することができる。本発明は、装飾的な絵、カーテン、または水槽として室内で利用してもよい。すなわち、フィルムを別のフィルムに交換するだけで、フィルムの内容を容易に変更できるため、生産性が向上し経済的に効果的である。
【図面の簡単な説明】
【００３５】
【図１】図１は、本発明の一実施例による多機能のサインボードを示す断面図である。
【図２】図２は、図１の多機能のサインボードを示す斜視図である。
【図３】図３は、本発明の多機能のサインボードを示す正面図である。
【図４】図４は、２重のフィルムを示す断面図である。
【図５】図５は、巻き取りロールの周囲に巻かれるフィルムの構成を示す図である。
【図１】
2008530404.tif 000003
【図２】
2008530404.tif 000004
【図３】
2008530404.tif 000005
【図４】
2008530404.tif 000006
【図５】
2008530404.tif 000007
【国際調査報告】
2008530404.tif 000008
2008530404.tif 000009
2008530404.tif 000010